【手続補正書】
【提出日】平成17年10月14日(2005.10.14)
【手続補正１】
【補正対象書類名】特許請求の範囲
【補正対象項目名】全文
【補正方法】変更
【補正の内容】
【特許請求の範囲】
【請求項１】
−対象となる患者のトモグラフィック画像を１つ以上得るための第１の撮像装置であり、前記第１の撮像装置の少なくとも一部は前記装置により１つ以上の画像を形成する間に患者を軸方向に並進させるのに通る開口を持つ第１の撮像装置、
−前記対象となる患者のトモグラフィック画像を１つ以上得るための第２の撮像装置であり、前記第２の撮像装置の少なくとも一部は前記装置により前記画像を形成する間に患者を軸方向に並進させるのに通る開口を持つ第２の撮像装置、
を有する医療撮像装置において、
−前記第１及び第２の撮像装置は、前記対象となる患者の画像を１つ以上形成する間に他方の装置に対して固定される位置におけるハウジングにより各々固定され、各装置の前記開口は、他方の装置の前記開口と略軸に対して位置合わせされ、及び
−前記第１及び第２の撮像装置の前記開口は、前記第１及び第２の撮像装置の間に位置決めされ、介護者による対象となる患者への直接のアクセスを可能にするのに十分な距離だけ離れている、
医療撮像装置。
【請求項２】
−患者の画像を１つ以上得るための第１の撮像装置であり、前記患者は撮像軸と略位置合わせされる第１の撮像装置、
−患者の画像を１つ以上得るための第２の撮像装置であり、前記患者は撮像軸と略位置合わせされる第２の撮像装置、
を有する撮像軸を持つ撮像装置において、
−前記第１及び第２の撮像装置は、互いに且つ前記撮像軸に対し固定される位置に各々保持され、及び
−介護者が前記撮像軸と位置合わせされ、前記第１及び第２の撮像装置の間に延在する患者と視線での視覚的コンタクトをすることができる、前記第１及び第２の撮像装置の間に形成される開放部、
を有する前記撮像軸を持つ撮像装置。
【請求項３】
−対象となる患者の受け取りのための開放部を持つ第１のトモグラフィック医療撮像装置、
−前記対象となる患者の受け取りのための開放部を持つ第２のトモグラフィック医療撮像装置、
−前記第１及び第２の撮像装置の少なくとも１つによる、前記対称となる患者のトモグラフィック画像を１つ以上形成する間に、前記第１及び第２の撮像装置の前記開放部を固定された空間関係且つ撮像軸と位置合わせされた状態で固定する撮像装置支持構造体、
−前記第１及び第２の撮像装置の少なくとも１つにより、１つ以上の画像を形成する間に前記第１及び第２の撮像装置の前記開放部を通り延在する患者支持構造体、
を有する医療撮像装置において、
−前記撮像装置支持構造体は、介護者が前記第１及び第２の撮像装置の前記開放部の間において前記対象となる患者を直接観察することが可能である、前記第１及び第２の撮像装置の間に患者アクセスエリアを形成する、
医療撮像装置。
【請求項４】
前記患者アクセスエリアは介護者と前記対象となる患者との間に直接の触覚的コンタクトを可能にする請求項３に記載の医療撮像装置。
【請求項５】
前記患者アクセスエリアは、介護者が前記第１及び第２の撮像装置の間において前記対象となる患者に１つ以上の介在するアプリケーションを実行することを可能にする請求項３に記載の医療撮像装置。
【請求項６】
前記患者アクセスエリアは介護者が前記対象となる患者にバイオプシ手技の少なくとも一部を行うことを可能にする請求項５に記載の医療撮像装置。
【請求項７】
前記第１の撮像装置はＣＴ、ＭＲＩ、Ｘ線及び超音波装置から構成される集合の１つを有する請求項３に記載の医療撮像装置。
【請求項８】
前記第２の撮像装置はＳＰＥＣＴ及びＰＥＴ装置から構成される集合の１つを有する請求項３又は７に記載の医療撮像装置。
【請求項９】
前記第１及び第２の撮像装置の開放部の前記軸は略位置合わせされている請求項２に記載の医療撮像装置。
【請求項１０】
請求項３に記載の医療撮像装置において、前記撮像装置の支持構造体はさらに、
前記患者支持構造体より下にあり、前記第１及び第２の撮像装置の間に位置決めされる液体制御面を有し、前記液体制御面上を前記患者支持構造体の近くから前記対象となる患者から離れるように落ちる液体を向かわせる医療撮像装置。
【請求項１１】
−第１のスキャナ及び第２のスキャナを持つハウジングであり、各スキャナは患者の少なくとも一部からトモグラフィック撮像方法を得るための開口を持つハウジング、
を有する医療撮像装置において、
−前記ハウジングは、スキャニング動作中に他方とは離れた固定される位置に前記第１及び第２のスキャナの開口の各々を位置決めし、
−前記第１のスキャナ開口を介し延在し、前記第１及び第２のスキャナの間に少なくとも部分的に位置決めされる患者への介護者によるアクセスを可能にするために、前記ハウジングは、前記第１及び第２のスキャナ開口間に患者アクセスエリアを形成する、
医療撮像装置。
【請求項１２】
前記第１及び第２のスキャナの前記開口は、略位置合わせされる軸を持つ請求項１１に記載の医療撮像装置。
【請求項１３】
前記第１及び第２のスキャナの前記開口内において同時に患者の第１及び第２の部分をそれぞれ支持且つ位置決めし、前記開口間にあり、前記患者アクセスエリアを介して介護者にアクセス可能にする前記患者の第３の部分を支持且つ位置決めする患者支持手段をさらに有する請求項１１に記載の医療撮像装置。
【請求項１４】
前記第１及び第２のスキャナは、互いに異なるモダリティで動作する請求項１１に記載の医療撮像装置。
【請求項１５】
前記第１及び第２のスキャナの一方は前記患者の解剖学的構造を表す撮像情報を得る請求項１４に記載の医療撮像装置。
【請求項１６】
前記第１及び第２のスキャナの一方は前記患者の生理学的機能を表す撮像情報を得る請求項１４又は１５に記載の医療撮像装置。
【請求項１７】
−第１のスキャナ及び第２のスキャナを持つハウジングを設けるステップであり、各スキャナは患者の少なくとも一部からトモグラフィック撮像情報を得るための開口を持つステップ、
−スキャニング動作中、他方から離れた固定される位置に前記第１及び第２のスキャナ開口を位置決めするステップ、
−前記第１及び第２のスキャナ開口間に患者アクセスエリアを形成するステップであり、前記第１のスキャナ開口を通り延在し、前記第１及び第２のスキャナの間に少なくとも部分的に位置決めされる患者に介護者による直接のアクセスを可能にするステップ、及び
−前記第１及び第２のスキャナ開口間に患者の一部を位置決めするステップであり、前記第１及び第２のスキャナの間に形成される前記患者アクセスエリアを介して介護者による患者への直接のアクセスを可能にするステップ、
を有する医療撮像方法。
【請求項１８】
前記患者から撮像情報を得るために互いに関し異なるモダリティで前記第１及び第２のスキャナを動作させるステップをさらに有する請求項１７に記載の医療撮像方法。
【請求項１９】
前記患者の解剖学的構造を表す撮像情報を得るモダリティで前記第１及び第２のスキャナの一方を動作させるステップをさらに有する請求項１８に記載の医療撮像方法。
【請求項２０】
前記患者の解剖学的構造を表す撮像情報を得るモダリティで前記第１及び第２のスキャナの一方を動作させるステップをさらに有する請求項１８に記載の医療撮像方法。
【請求項２１】
前記患者の生理学的構造を表す撮像情報を得るモダリティで前記第１及び第２のスキャナの一方を動作させるステップをさらに有する請求項１９又は２０に記載の医療撮像方法。
【請求項２２】
−患者がスキャニング位置に置かれる場合、前記患者から撮像情報を得るための第１のスキャニングデバイス、
−前記患者が前記スキャニング位置にいる場合、前記患者の少なくとも一部より下に置かれる排水面、及び
−前記患者より下に且つ離れる方向に傾斜が付けられ、前記患者が前記スキャニング位置にいる場合、前記患者の近くから前記排水面に落ちる液体を排出する排水面、
を有する医療撮像装置。
【請求項２３】
−前記第１のスキャニングデバイスを支持するためのハウジング、及び
−前記ハウジングにより形成され、前記第１のスキャニングデバイスから横方向に離れるように延在する排水面、
をさらに有する請求項２２に記載の医療撮像装置。
【請求項２４】
患者が前記スキャニング位置にいる場合、前記排水面は前記患者とは反対側から外へ且つ下へ延在する請求項２２に記載の医療撮像装置。
【請求項２５】
患者が前記スキャニング位置にいる場合、前記排水面は前記患者のすぐ下に上向きにアーチ形状をなす表面を有する請求項２４に記載の医療撮像装置。
【請求項２６】
第２のスキャニング装置をさらに有し、介護者が前記スキャニング位置に置かれる患者にアクセスするためのアクセスエリアを形成するために、前記排水面は、前記第１及び第２のスキャニングデバイスの間に延在し、分離する請求項２２に記載の医療撮像装置。
【請求項２７】
前記第１及び第２のスキャニングデバイスを支持し、前記第１及び第２のスキャニングデバイス間にある排水面エリアの少なくとも一部を形成するハウジングをさらに有する請求項２６に記載の医療撮像装置。
【請求項２８】
患者が前記スキャニング位置にいる場合、前記排水面は、前記患者とは反対側から外側へ且つ下へ延在する請求項２７に記載の医療撮像装置。
【請求項２９】
患者が前記スキャニング位置にいる場合、前記排水面は、前記患者のすぐ下にある上方にアーチ形状をなす表面を有する請求項２８に記載の医療撮像装置。